(57)【要約】【課題】  パッケージ内に高周波信号を低損失で伝送するため、パッケージ内外のインピーダンス整合を行い、しかもパッケージ内の気密を保つことができる光通信モジュール用パッケージを提供することにある。【解決手段】  発光素子１３３と、発光素子１３３の前方光を集光するレンズ１４１と、内部の回路と外部とを電気的に接続する複数本のリード１３８を備えた光通信モジュール用パッケージ１において、複数本のリード１３８の内、少なくとも一本が上記パッケージ１の内外を貫通する同軸ケーブル４であり、その同軸ケーブル４とパッケージ１とを封止部材５で気密封止したものである。【選択図】  図１
2005228874.tif 000002
【特許請求の範囲】
【請求項１】
発光素子と、発光素子の前方光を集光するレンズと、内部の回路と外部とを電気的に接続する複数本のリードを備えた光通信モジュール用パッケージにおいて、上記複数本のリードの内、少なくとも一本が上記パッケージの内外を貫通する同軸ケーブルであり、その同軸ケーブルと上記パッケージとを封止部材で気密封止したことを特徴とする光通信モジュール用パッケージ。
【請求項２】
上記パッケージ内に位置する上記同軸ケーブルの端部に、上記同軸ケーブルと上記パッケージとを気密封止するためのキャップを挿通した請求項１記載の光通信モジュール用パッケージ。
【請求項３】
上記キャップは、上記同軸ケーブルの外部導体が嵌合する大径部と、上記同軸ケーブルの内部導体が挿通される小径部とを備えた請求項２記載の光通信モジュール用パッケージ。
【請求項４】
上記パッケージに凹部を形成し、その凹部に上記同軸ケーブルを挿通した請求項１記載の光通信モジュール用パッケージ。
【請求項５】
上記同軸ケーブルの外部導体は、上記パッケージのグランド部に接続される請求項１〜４いずれかに記載の光通信モジュール用パッケージ。
【請求項６】
上記封止部材は、樹脂あるいは半田である請求項１〜５いずれかに記載の光通信モジュール用パッケージ。
【発明の詳細な説明】
【技術分野】
【０００１】
本発明は、内部の回路と外部とを電気的に接続する複数本のリードを備えた光通信モジュール用パッケージに係り、特に、高周波用の光通信モジュール用パッケージに関するものである。
【背景技術】
【０００２】
図１３に示すような従来の光通信モジュール用パッケージ１３１は、本体ケース１３２内に、半導体レーザ（ＬＤ）１３３、ＬＤ１３３の後方光をモニタするフォトダイオード（ＰＤ）（図示せず）、複数本の配線パターン（本体ケース内リード）１３５などを収納し、本体ケース１３２の上部を板状のフタ１３６で覆ったものである。
【０００３】
本体ケース１３２の前面には、ＬＤ１３３の前方光を集光するレンズ１４１（あるいはガラス）付きキャップ１３７が設けられる。キャップ１３７は、レンズ１４１がパッケージ１３１内に収納されるように本体ケース１３２に取り付けられ、図示しない光ファイバを備えている。このキャップ１３７には、伝送路となる光ファイバを備えた光コネクタが接続されることで、ＬＤ１３３と、キャップ１３７の光ファイバと、光コネクタの光ファイバとが光結合される。
【０００４】
本体ケース１３２の後部には、各配線パターン１３５とパッケージ１３１の外部とを電気的に接続する複数本のリード（本体ケース外リード）１３８が設けられる。
【０００５】
ＬＤ１３３は、ＬＤ１３３と電極１３９とをワイヤ１４０でワイヤボンディングし、電極１３９と一本の配線パターン１３５とをワイヤ１４０でワイヤボンディングすることにより、一本のリード１３８と電気的に接続される。
【０００６】
ＬＤ１３３やＰＤは湿気に弱いので、本体ケース１３２に各部品を搭載、あるいは取り付けた後、パッケージ１３１内に室温で不活性なガス（例えば、Ｎ2 ）が充填されるように、本体ケース１３２にフタ１３６を溶接などで後付けすることによって、パッケージ１３１内を気密封止する。
【０００７】
また、従来の光通信モジュール用パッケージとしては、パッケージの両側に、上述したリード１３８と同様のリードが対称に設けられたバタフライ型の光通信モジュール用パッケージもある。
【０００８】
なお、この出願の発明に関連する先行技術文献情報としては、次のものがある。
【０００９】
【特許文献１】特開平１１−２３８９１６号公報
【発明の開示】
【発明が解決しようとする課題】
【００１０】
しかしながら、従来の光通信モジュール用パッケージ１３１は、ＬＤ１３３に配線パターン１３５およびリード１３８を介して電気信号を入力するので、特に高周波信号の場合、パッケージ１３１内外のインピーダンスの不整合により、損失が大きくなるという問題がある。
【００１１】
パッケージ１３１に同軸コネクタを設け、その同軸コネクタに同軸ケーブルを接続してパッケージ１３１内の気密を保つことも考えられるが、この場合には、同軸コネクタが大型の部品なので、パッケージ１３１が大型になってしまう。
【００１２】
そこで、本発明の目的は、パッケージ内に高周波信号を低損失で伝送するため、パッケージ内外のインピーダンス整合を行い、しかもパッケージ内の気密を保つことができる光通信モジュール用パッケージを提供することにある。
【課題を解決するための手段】
【００１３】
本発明は上記目的を達成するために創案されたものであり、請求項１の発明は、発光素子と、発光素子の前方光を集光するレンズと、内部の回路と外部とを電気的に接続する複数本のリードを備えた光通信モジュール用パッケージにおいて、上記複数本のリードの内、少なくとも一本が上記パッケージの内外を貫通する同軸ケーブルであり、その同軸ケーブルと上記パッケージとを封止部材で気密封止した光通信モジュール用パッケージである。
【００１４】
請求項２の発明は、上記パッケージ内に位置する上記同軸ケーブルの端部に、上記同軸ケーブルと上記パッケージとを気密封止するためのキャップを挿通した請求項１記載の光通信モジュール用パッケージである。
【００１５】
請求項３の発明は、上記キャップは、上記同軸ケーブルの外部導体が嵌合する大径部と、上記同軸ケーブルの内部導体が挿通される小径部とを備えた請求項２記載の光通信モジュール用パッケージである。
【００１６】
請求項４の発明は、上記パッケージに凹部を形成し、その凹部に上記同軸ケーブルを挿通した請求項１記載の光通信モジュール用パッケージである。
【００１７】
請求項５の発明は、上記同軸ケーブルの外部導体は、上記パッケージのグランド部に接続される請求項１〜４いずれかに記載の光通信モジュール用パッケージである。
【００１８】
請求項６の発明は、上記封止部材は、樹脂あるいは半田である請求項１〜５いずれかに記載の光通信モジュール用パッケージである。
【発明の効果】
【００１９】
以上説明したことから明らかなように、本発明によれば、次のような優れた効果を発揮する。
【００２０】
（１）パッケージ内に高周波信号を低損失で伝送でき、しかもパッケージ内の気密を保つことができる。
【００２１】
（２）小型である。
【発明を実施するための最良の形態】
【００２２】
以下、本発明の好適実施の形態を添付図面にしたがって説明する。
【００２３】
図１は、本発明の好適実施の形態を示す光通信モジュール用パッケージの斜視図である。図２は、図１の主要部を示す斜視図である。図３は、図１のＡ方向から見た斜視図である。
【００２４】
図１〜図３に示すように、本実施の形態に係る光通信モジュール用パッケージ１は、本体ケース２内に、発光素子としてのＬＤ１３３、ＬＤ１３３の後方光をモニタするＰＤ１３４、内部の回路を構成する複数本の配線パターン（本体ケース内リード）１３５などを収納し、本体ケース２の上部を板状のフタ３で覆ったものである。本体ケース２とフタ３とは、ＣｕＷ、Ｃｕ合金、Ａｌなどの放熱性が高い金属で形成される。
【００２５】
光通信モジュール用パッケージ１は、ＬＤ１３３が収納されているので、入力された電気信号を光信号に変換して出力する光−電気変換モジュール、あるいはＬＤモジュールとも言う。光通信モジュール用パッケージ１は、例えば、光通信に使用される光トランシーバなどの電子機器の基板に搭載されて使用される。
【００２６】
本体ケース２の前面２ｆには、ＬＤ１３３の前方光を集光するレンズ１４１（あるいはガラス）付きキャップ１３７が設けられる。キャップ１３７は、レンズ１４１がパッケージ１内に収納されるように本体ケース２に取り付けられ、図示しない光ファイバを備えている。このキャップ１３７には、伝送路となる光ファイバを備えた光コネクタが接続されることで、ＬＤ１３３と、キャップ１３７の光ファイバと、光コネクタの光ファイバとが光結合される。
【００２７】
本体ケース２の後部２ｂには、各配線パターン１３５とパッケージ１の外部とを電気的に接続する複数本のリード（本体ケース外リード）１３８が設けられる。
【００２８】
さて、光通信モジュール用パッケージ１は、複数本の配線パターン１３５および複数本のリード１３８の内、少なくとも一本が本体ケース２の内外を貫通する同軸ケーブル４であり、この同軸ケーブル４と本体ケース２とを、封止部材としての絶縁物質である樹脂５で気密封止したものである。樹脂５としては、例えば、分子構造が細かいエポキシ系樹脂を使用する。ここで気密は１×１０-9［Ｐａ・ｍ3／ｓ］以下となるようにするのが望ましい。
【００２９】
本体ケース２には、本体ケース２の内外を貫通する貫通穴７、より詳細には、本体ケース２の一部である段差部６の一側面６ｓと、本体ケース２の一側面２ｓとを貫通する貫通穴７が形成される。貫通穴７の内径は同軸ケーブルの外径よりも若干大きい。この貫通穴７には、両端を端末処理した同軸ケーブル４が本体ケース２の内外を貫通するように挿通される。
【００３０】
ここで、同軸ケーブル４を説明する。
【００３１】
図４に示すように、同軸ケーブル４は、銅線などの導電材料からなる中心の線材（内部導体）４１と、内部導体４１の外周に設けられるテフロン（登録商標）やポリプロピレンなどの誘電材（絶縁体）４２と、絶縁体４２の外周を覆う銅メッキ管などの導電材料からなる外壁（外部導体）４３とからなる。同軸ケーブル４は、両端から内部導体４１が所定長さ露出するように、予め端末処理される。
【００３２】
同軸ケーブル４としては、図１〜図３の光通信モジュール用パッケージ１内外のインピーダンスを整合（マッチ）させるために、特性インピーダンスが所定の値、例えば、２５Ω、５０Ωに設定されたものを使用する。
【００３３】
また、同軸ケーブル４としては、セミリジッド型のものを使用する。セミリジッド型とは、一度曲げると曲げた状態を保持するタイプのことを言う。この同軸ケーブル４は、外径が数ｍｍ程度と細いので、フレキシブル性に富んでいて容易に曲げることが可能である。
【００３４】
同軸ケーブル４は、内部導体４１と外部導体４３間の空間に絶縁体４２が充填されているので、絶縁体４２と、内部導体４１および外部導体４３とは、接着されていない。つまり、同軸ケーブル４自体では気密が保証されていない。
【００３５】
同軸ケーブル４の代わりに、図５に示すような同軸ケーブル５１を使用してもよい。同軸ケーブル５１は、外部導体５３が金属編組からなっているので、図４の同軸ケーブル４に比べて、より曲げやすくなっている。
【００３６】
次に、光通信モジュール用パッケージ１の主要部をより詳細に説明する。
【００３７】
図２に示すように、同軸ケーブル４の一端は、本体ケース２内において、内部導体４１と外部導体４２とが、段差部６の一側面６ｓの貫通穴７から所定長さ露出するように貫通穴７に挿通される。
【００３８】
内部導体４１の一端は、電極１３９に半田接続される。ＬＤ１２３は、ＬＤ１２３と電極１３９とをワイヤ１４０でワイヤボンディングすることにより、同軸ケーブル４と電気的に接続される。
【００３９】
外部導体４３は、本体ケース２のグランド部としての底面２ｄと電気的に導通するように、接続部材８で接続固定される。これにより、同軸ケーブル４を伝送する高周波信号のノイズを低減できる。本体ケース２のグランド部としてのグランド用の配線パターン（図示せず）に外部導体４３を接続固定してもよい。接続部材８としては、例えば、半田あるいは接着剤を使用する。
【００４０】
露出した内部導体４１の一部と、絶縁体４２と、露出した外部導体４３と、段差部６の一側面６ｓの貫通穴７近傍とは、樹脂５で覆われて気密封止される。ただし、内部導体４１の一端が樹脂５から露出するようにしておく。これにより、同軸ケーブル４と本体ケース２とが樹脂５で気密封止される。
【００４１】
一方、同軸ケーブル４の他端は、例えば、光トランシーバなどの電子機器の基板に搭載されたＩＣや同軸コネクタに接続されたり、基板に直接半田固定されたりする。
【００４２】
さらに、図３に示すように、本体ケース２の一側面２ｓの貫通穴７近傍と、外部導体４３とを樹脂５で覆って気密封止すれば、同軸ケーブル４と本体ケース２との気密封止をより高めることができる。樹脂５の代わりに、半田を使用して気密封止してもよい。この場合、外部導体４３が本体ケース２のグランド部としての一側面２ｓと電気的に導通されるので、気密封止と同時に高周波信号のノイズを低減できる。
【００４３】
また、図１〜図３に示すように、ＬＤ１３３やＰＤ１３４は湿気に弱いので、本体ケース２に各部品を搭載、あるいは取り付けた後、パッケージ１内に室温で不活性なガス（例えば、Ｎ2 ）が充填されるように、本体ケース２にフタ３を溶接などで後付けすることによって、パッケージ１内を気密封止する。
【００４４】
このように、本実施の形態に係る光通信モジュール用パッケージ１は、複数本の配線パターン１３５および複数本のリード１３８の内、少なくとも一本が本体ケース２の内外を貫通する同軸ケーブル４なので、パッケージ１内外のインピーダンスの整合を行ってパッケージ１外からパッケージ１内に高周波信号を低損失で伝送できる。特に、本例では、同軸ケーブル４からＬＤ１３３までの配線長（ワイヤ１４０の長さ）が非常に短いので、高周波信号の損失が極めて小さい。
【００４５】
しかも、光通信モジュール用パッケージ１は、同軸ケーブル４と本体ケース２とが樹脂５で気密封止されているので、パッケージ１内に不活性ガスが充填されるように本体ケース２にフタ３を後付けすれば、容易にパッケージ１内の気密を保つことができる。
【００４６】
さらに、光通信モジュール用パッケージ１は、同軸コネクタのような大型の部品が不要なので、小型である。
【００４７】
また、同軸ケーブル４は、特性インピーダンスが所定の値に設定されているので、パッケージ１内外のインピーダンスを簡単にマッチ（整合）させることができる。
【００４８】
この同軸ケーブル４は、配線パターン１３５およびリード１３８に比べて、フレキシブル性に富んでいて容易に曲げることが可能なので、パッケージ１内で自由に引き回すことができ、パッケージ１内の実装の自由度を向上できる。
【００４９】
第二の実施の形態を説明する。
【００５０】
図６〜図８に示すように、光通信モジュール用パッケージ６１は、パッケージ６１内に位置する同軸ケーブル４の端部に、同軸ケーブル４と本体ケース２とを気密封止するための円筒状のキャップ６２を挿通し、同軸ケーブル４と、本体ケース２と、キャップ６２とを封止部材としての樹脂５や半田６３で気密封止したものである。
【００５１】
図９に示すように、キャップ６２の一端部には、同軸ケーブルの外部導体が嵌合する大径部９１が形成され、キャップ６２の他端部には、大径部９１と連通され、同軸ケーブルの内部導体が挿通される小径部９２が形成される。大径部９１の内径は、同軸ケーブルの外径より若干大きく、小径部９２の内径は、同軸ケーブルの内部導体の外径より若干大きい。
【００５２】
キャップ６２は、同軸ケーブルの特性を損なわない絶縁体であり、かつ周囲温度によって膨張・収縮しにくい線膨張係数が小さい材質、例えばセラミックスで形成される。キャップ６２の大径部９１側の外周には、半田付け用のリング状の金属メッキ９３が施される。金属メッキ９３としては、例えば、Ａｕメッキ、Ｃｕメッキを使用する。
【００５３】
光通信モジュール用パッケージ６１の主要部をより詳細に説明する。
【００５４】
図７に示すように、段差部６の一側面６ｓには、貫通穴７と連通され、本体ケース２の一部である円筒状の凸部７１が形成される。凸部７１の外径はキャップ６２の外径とほぼ同じであり、凸部７１の内径は貫通穴７の内径とほぼ同じである。
【００５５】
貫通穴７および凸部７１に挿通された同軸ケーブル４の一端には、キャップ６２が大径部側から挿通される。ただし、凸部７１とキャップ６２間に若干の隙間を設け、この隙間から同軸ケーブル４の外部導体４３が露出するようにしておく。
【００５６】
凸部７１と、露出した外部導体４３と、キャップ６２の金属メッキ９３とは、半田６３で半田付けされて気密封止される。露出した内部導体４１の一部と、キャップ６２の小径部側の端面６２ｓとは、樹脂５で気密封止される。これにより、同軸ケーブル４と本体ケース２とが半田６３および樹脂５で気密封止される。
【００５７】
光通信モジュール用パッケージ６１のその他の構成は、図１〜図３の光通信モジュール用パッケージ１と同じである。光通信モジュール用パッケージ６１も、光通信モジュール用パッケージ１と同じ作用効果が得られる。
【００５８】
キャップ６２の代わりに、図１０に示すように、端面６２ｓに円環状の金属メッキ９３を施したキャップ１０１を使用してもよい。この場合、内部導体の一部と端面６２ｓとを、樹脂ではなく半田で気密封止する。
【００５９】
キャップ６２やキャップ１０１ではなく、金属メッキがないキャップを使用してもよい。この場合、図２で説明したように外部導体と本体ケースの底面とを接続部材で固定した後、樹脂のみで気密封止する。
【００６０】
また、図１１に示すような大径部の内周にネジ山（雄ネジ部）１１２を形成したネジ付きキャップ１１１を使用してもよい。この場合、同軸ケーブル４の一端部の外部導体４３の外周にキャップ１１１のネジ山１１２を受けるネジ溝（雌ネジ部）１１３を形成しておく。
【００６１】
具体的には、本体ケース２の段差部６（図１および図２参照）の一側面６ｓから露出した同軸ケーブル４の一端部にキャップ１１１を取り付け、キャップ１１１と同軸ケーブル４の外部導体４３とを螺合した後、本体ケース２の段差部６ａ一側面６ｓと、キャップ１１１とを樹脂５あるいは半田６３で気密封止する。
【００６２】
第三の実施の形態を説明する。
【００６３】
図１２に示すように、光通信モジュール用パッケージ１２１は、本体ケース１２２の一側面１２２ｓに、本体ケース１２２自体を本体ケース１０２内に凹ませた凹部１２３を形成し、その凹部１２３に同軸ケーブル４を挿通し、同軸ケーブル４と、本体ケース１２２と、凹部１２３とを樹脂５で気密封止したものである。
【００６４】
凹部１２３は、本体ケース１２２の一側面１２２ｓ側の内径が同軸ケーブル４の外径より若干大きく、本体ケース１２２内に位置する端部の内径が同軸ケーブル４の内部導体４１の外径よりも若干大きい。
【００６５】
より詳細には、外部導体４３と、本体ケース１２２の一側面１２２ｓの凹部１２３近傍とは、樹脂５で気密封止され、内部導体４１の一部と、本体ケース１２２内に位置する凹部１２３の端部近傍とが、樹脂５で気密封止される。これにより、同軸ケーブル４と本体ケース２とが樹脂５で気密封止される。
【００６６】
光通信モジュール用パッケージ１２１も、図１〜図３の光通信モジュール用パッケージ１と同じ作用効果が得られる。
【００６７】
上記実施の形態では、ＬＤ１３３およびＰＤ１３４を収納した光通信モジュール用パッケージ（ＬＤモジュール）の例で説明したが、光通信モジュール用パッケージとしては、高周波用であれば、ＬＤモジュールに限らず、ＬＥＤ（発光ダイオード）モジュール、ＰＤモジュールなどの光モジュールの他、いかなる半導体モジュールでもよい。
【図面の簡単な説明】
【００６８】
【図１】本発明の好適実施の形態である光通信モジュール用パッケージの斜視図である。
【図２】図１の主要部の拡大図である。
【図３】図１のＡ方向から見た斜視図である。
【図４】同軸ケーブルの一例を示す構造図である。
【図５】同軸ケーブルの一例を示す構造図である。
【図６】第二の実施の形態を示す斜視図である。
【図７】図６の主要部の拡大図である。
【図８】図６のＢ方向から見た斜視図である。
【図９】キャップの縦断面図である。
【図１０】キャップの一例を示す斜視図である。
【図１１】キャップの一例を示す断面図である。
【図１２】第三の実施の形態を示す断面図である。
【図１３】従来の光通信モジュール用パッケージの斜視図である。
【符号の説明】
【００６９】
１  光通信モジュール用パッケージ
２  本体ケース
３  フタ
４  同軸ケーブル
５  樹脂（封止部材）
１３３  ＬＤ（発光素子）
１３５  配線パターン
１３８  リード
１４１  レンズ
【図１】
2005228874.tif 000003
【図２】
2005228874.tif 000004
【図３】
2005228874.tif 000005
【図４】
2005228874.tif 000006
【図５】
2005228874.tif 000007
【図６】
2005228874.tif 000008
【図７】
2005228874.tif 000009
【図８】
2005228874.tif 000010
【図９】
2005228874.tif 000011
【図１０】
2005228874.tif 000012
【図１１】
2005228874.tif 000013
【図１２】
2005228874.tif 000014
【図１３】
2005228874.tif 000015